(57)【要約】  本発明は、オンサイトマスターコントロールシステム及び前記オンサイトマスターコントロールシステムに信号接続される会議システムと補助システムを備え、会議システムが会議発信モジュール、ビデオ通話モジュール及び入電投影自動ウェイクアップモジュールを備え、補助システムが無線伝送スクリーン同期サブシステム、音声受音認識サブシステム及びデュアルモードタッチパッドサブシステムを備えるインテリジェント会議投影システムを提供する。本発明はインテリジェント会議システムの総合的な解決手段を提供して、従来技術において遠隔会議システムが無線スクリーンミラーリング機能を実現する時にルーチングとネットワークサーバの帯域幅を占用するという問題を克服しただけでなく、会議システムのインテリジェント化レベルを上向させ、更に使用体験を上向させる。【選択図】図１
2021536722.tif 000002
【特許請求の範囲】
【請求項１】
オンサイトマスターコントロールシステム及び前記オンサイトマスターコントロールシステムに信号接続される会議システムと補助システムを含むインテリジェント会議投影システムであって、
前記会議システムは、会議発信モジュール、ビデオ通話モジュール及び入電投影自動ウェイクアップモジュールを備え、
前記補助システムは、
会議内容投影及び遠隔会議画面共有を実現する無線伝送スクリーン同期サブシステムと、
会議オーディオピックアップを実現する音声受音認識サブシステムと、
投影ファイルを変更し、キーボードとマウスの２種のモードを速やかに切り替えるデュアルモードタッチパッドサブシステムと、を備え、
自発的に会議を発信する場合、マスターコントロールシステムは、会議発信モジュールによってインターネットを介して遠隔会議発信信号を送信し、遠隔応答信号を受信すると、ビデオ通話モジュールを起動して遠隔会議接続を実現し、
受動的に会議を受信する場合、マスターコントロールシステムは、自動ウェイクアップモジュールによって自動的に投影システムをウェイクアップさせ、且つビデオ通話モジュールによって遠隔会議接続を実現し、
会議システムが動作する時、前記オンサイトマスターコントロールシステムは、補助システムを同時に制御して連携的に動作させ、即ち、プロジェクタによって会議ファイルを投影するように無線伝送スクリーン同期サブシステムを制御し、会議オーディオをピックアップするように音声受音認識サブシステムを制御し、及び使用要求に応じて２種の動作モードを自発的に切り替えるようにデュアルモードタッチパッドサブシステムを制御することを特徴とするインテリジェント会議投影システム。
【請求項２】
前記無線伝送スクリーン同期サブシステムは、投影ホストとエミッターを備え、
前記投影ホストにスクリーンミラーリングＷｉＦｉホットスポットとファイル伝送ＷｉＦｉホットスポットが内蔵され、前記投影ホストは、スクリーンミラーリングＷｉＦｉホットスポットによって、前記エミッターをＵＳＢを介してＰＣ端に接続して取得した平面内容を受信し、ファイル伝送ＷｉＦｉホットスポットによってテキストファイルを受信することを特徴とする請求項１に記載のインテリジェント会議投影システム。
【請求項３】
前記デュアルモードタッチパッドサブシステムは、タッチパッド、内蔵電源、ブルートゥース通信モジュール、自動充電モジュール及びモード切り替えモジュールを備え、
前記タッチパッドは、ブルートゥース通信モジュールによってオンサイトマスターコントロールシステムに信号接続されてシステムの投影方式を制御し、
前記自動充電モジュールは、タッチパッドが動作状態になっておらず、且つ特定の充電位置に置かれていることを検出すると、自動的にタッチパッドを充電し、
前記タッチパッドがマウスモードで動作する時に、モード切り替えモジュールは、投影カーソルが投影内容における変更可能なテキストボックス領域に入ったことを検出すると、自動的にタッチパッドをキーボードモードに切り替えることを特徴とする請求項２に記載のインテリジェント会議投影システム。
【請求項４】
前記投影ホストにタッチパッドを置くためのタッチ接続ポートが設置され、オンサイトマスターコントロールシステムはタッチパッドがタッチ接続ポートに置かれていることを検出すると、タッチパッドを充電するように自動充電モジュールを制御し、オンサイトマスターコントロールシステムはタッチパッドがタッチ接続ポートに置かれていないことを検出すると、投影システムを起動するように自動ウェイクアップモジュールを制御することを特徴とする請求項３に記載のインテリジェント会議投影システム。
【請求項５】
前記音声受音認識サブシステムは、マイクピックアップアレイと音声認識変換ユニットを備え、前記マイクピックアップアレイは会議発言オーディオファイルを生成して音声認識変換ユニットに送信し、前記音声認識変換ユニットは前記オーディオファイルを音声認識アルゴリズムによって対応するテキストファイルに変換することを特徴とする請求項１に記載のインテリジェント会議投影システム。
【請求項６】
前記音声受音認識サブシステムによりピックアップされたオーディオファイル及び自動的に生成されたテキストファイルを記憶する記憶ユニットを備えることを特徴とする請求項５に記載のインテリジェント会議投影システム。
【発明の詳細な説明】
【技術分野】
【０００１】
本発明は、プロジェクタ技術の分野に関し、具体的に言えば、特にインテリジェント会議投影システムに関する。
【背景技術】
【０００２】
従来からよく用いられている遠隔会議システムでの投影は、無線スクリーンミラーリングがルーチングとネットワークサーバの帯域幅を占用して、ネットワークビデオに対してブロードバンドを争い、一般のネットワーク環境の場合にフリーズが発生してしまう。多者遠隔ビデオ会議を行う場合に、ネットワーク帯域幅とシステムのソフトウェアとハードウェアに制限されるため、フリーズ現象がより顕著になるだけでなく、関連操作やシステムの使用が非常に不便になってしまう。無線スクリーン同期機能を使用する時に、ファイルはコンピュータ側のみで操作でき、投影スクリーン内で直接修正できなく、スクリーンミラーリングをするユーザは会議検討に応じてファイルを速やかに修正することができない。
【０００３】
また、投影装置を用いて遠隔会議を行う時に、リモコンを用いて操作することが一般であり、事務用のファイルを容易に操作できなく、大部分の人の操作習慣に一致しなく、仕事効率に影響を及ぼしてしまう。
【発明の概要】
【発明が解決しようとする課題】
【０００４】
投影がネットワーク資源を占用する上記技術的問題に鑑みて、本発明は、インテリジェント会議投影システムを提供する。本発明は、主にそれぞれＰＣファイル伝送とスクリーンミラーリングに用いられるダブルＷｉＦｉを投影ホストに内蔵することで、ルーチングと公衆ローカルエリアネットワーク環境に影響されることなく、独立したネットワークチャネルで動作するという効果を達成する。
【課題を解決するための手段】
【０００５】
本発明が採用する技術手段は以下の通りである。
本発明の一態様は、オンサイトマスターコントロールシステム及び前記オンサイトマスターコントロールシステムに信号接続される会議システムと補助システムを備えるインテリジェント会議投影システムであって、
前記会議システムは会議発信モジュール、ビデオ通話モジュール及び入電投影自動ウェイクアップモジュールを備え、
前記補助システムは、
会議内容投影及び遠隔会議画面共有を実現する無線伝送スクリーン同期サブシステムと、
会議オーディオピックアップを実現する音声受音認識サブシステムと、
投影ファイルを変更し、キーボードとマウスの２種のモードを速やかに切り替えるデュアルモードタッチパッドサブシステムと、を備え、
自発的に会議を発信する場合、マスターコントロールシステムは、会議発信モジュールによってインターネットを介して遠隔会議発信信号を送信し、遠隔応答信号を受信すると、ビデオ通話モジュールを起動して遠隔会議接続を実現し、
受動的に会議を受信する場合、マスターコントロールシステムは、自動ウェイクアップモジュールによって自動的に投影システムをウェイクアップさせ、且つビデオ通話モジュールによって遠隔会議接続を実現し、
会議システムが動作する時に、前記オンサイトマスターコントロールシステムは、補助システムを同時に制御して連携的に動作させ、即ち、プロジェクタによって会議ファイルを投影するように無線伝送スクリーン同期サブシステムを制御し、会議オーディオをピックアップするように音声受音認識サブシステムを制御し、及び使用要求に応じて２種の動作モードを自発的に切り替えるようにデュアルモードタッチパッドサブシステムを制御することを特徴とするインテリジェント会議投影システムである。
【０００６】
更に、前記無線伝送スクリーン同期サブシステムは、投影ホストとエミッターを備え、
前記投影ホストにスクリーンミラーリングＷｉＦｉホットスポットとファイル伝送ＷｉＦｉホットスポットが内蔵され、前記投影ホストは、スクリーンミラーリングＷｉＦｉホットスポットによって、前記エミッターをＵＳＢを介してＰＣ端に接続して取得した平面内容を受信し、ファイル伝送ＷｉＦｉホットスポットによってテキストファイルを受信する。
【０００７】
更に、前記デュアルモードタッチパッドサブシステムは、主にタッチパッド、内蔵電源、ブルートゥース（登録商標）通信モジュール、自動充電モジュール及びモード切り替えモジュールを備え、
前記タッチパッドは、ブルートゥース通信モジュールによってオンサイトマスターコントロールシステムに信号接続されてシステムの投影方式を制御し、
前記自動充電モジュールは、タッチパッドが動作状態になっておらず、且つ特定の充電位置に置かれていることを検出すると、自動的にタッチパッドを充電し、
前記タッチパッドがマウスモードで動作する時に、モード切り替えモジュールは、投影カーソルが投影内容における変更可能なテキストボックス領域に入ったことを検出すると、自動的にタッチパッドをキーボードモードに切り替える。
【０００８】
更に、前記投影ホストにタッチパッドを置くためのタッチ接続ポートが設置され、オンサイトマスターコントロールシステムは、タッチパッドがタッチ接続ポートに置かれていることを検出すると、タッチパッドを充電するように自動充電モジュールを制御し、オンサイトマスターコントロールシステムは、タッチパッドがタッチ接続ポートに置かれていないことを検出すると、投影システムを起動するように自動ウェイクアップモジュールを制御する。
【０００９】
更に、前記音声受音認識サブシステムは、マイクピックアップアレイと音声認識変換ユニットを備え、前記マイクピックアップアレイは会議発言オーディオファイルを生成して音声認識変換ユニットに送信し、前記音声認識変換ユニットは前記オーディオファイルを音声認識アルゴリズムによって対応するテキストファイルに変換する。
【００１０】
更に、前記音声受音認識サブシステムによりピックアップされたオーディオファイル及び自動的に生成されたテキストファイルを記憶する記憶ユニットを備える。
【００１１】
従来技術と比べると、本発明は、以下のメリットを有する。
１、本発明で開示された技術手段によれば、ルータ又はネットワークサーバの帯域幅が足りないため投影表示とコンピュータ画面の同期でフリーズが発生するという問題を効果的に減少することができる。
２、本発明は投影装置の自動ウェイクアップ機能を実現でき、また、タッチパッドが特定の位置に戻されると、投影装置が自動的にオフし、自動的にタッチパッドを充電し、装置のインテリジェント化レベルが上向され、ビデオ会議を逃すことが回避され、且つ投影を起動してビデオ会議に参加するとのことを他の通信方式を通じて通知する必要がない。
３、タッチパッドがマウスモードで操作されてカーソルがテキスト入力ボックス領域に入ると、自動的にキーボードモードに切り替えられ、操作者がファイルを直接修正することが容易になる。
【００１２】
上記理由から、本発明は各種規模の遠隔会議に広く利用可能である。
【図面の簡単な説明】
【００１３】
本発明の実施例又は従来技術における技術手段をより明らかに説明するために、以下、実施例又は従来技術の説明に必要な図面を簡単に紹介する。なお、下記説明における図面が本発明の一部の実施例であり、当業者であれば、創造的労動を行うことなく、これらの図面に基づいて他の図面を取得できることはいうまでもない。
【００１４】
【図１】本発明のシステム構成図である。
【図２】本発明の投影ホストとタッチパッドを組み合わせた模式図である。
【発明を実施するための形態】
【００１５】
なお、相互に違反しない限り、本発明における実施例及び実施例における特徴を相互に組み合わせることができる。以下、図面を参照して実施例に基づいて本発明を詳細に説明する。
【００１６】
本発明の実施例の目的、技術手段及びメリットをより明らかにするために、以下、本発明の実施例における図面を参照しながら、本発明の実施例における技術手段を明らかで完全に説明する。なお、説明される実施例が全ての実施例ではなく、本発明の一部の実施例に過ぎないことはいうまでもない。以下の少なくとも１つの例示的実施例に対する説明は、実際は、説明的なものに過ぎなく、決して本発明及びその応用や使用に対して如何なる制限となるものではない。当業者が本発明における実施例に基づいて、創造的労動を行うことなく得た他の実施例は、全て本発明が保護する範囲に含まれる。
【００１７】
図１に示すように、本発明は、事務場所でよく用いられている遠隔会議設備又は投影装置又は他の現場の大画面表示及びリモートリアルタイム交流を実現可能な設備に基づくインテリジェント会議投影システムを提供する。
【００１８】
該システムは、主にオンサイトマスターコントロールシステム及び前記オンサイトマスターコントロールシステムに信号接続される会議システムと補助システムを備える。
【００１９】
会議システムは、主に少なくとも遠隔呼び出し、ビデオ通話、ファイル伝送等を含む遠隔会議機能を実現するためのものであり、具体的には会議発信モジュール、ビデオ通話モジュール及び入電投影自動ウェイクアップモジュールを備える。
【００２０】
補助システムは、主に、会議内容投影及び遠隔会議画面共有を実現する無線伝送スクリーン同期サブシステムと、会議オーディオピックアップを実現する音声受音認識サブシステムと、投影ファイルを変更し、キーボード、マウスの２種のモードを速やかに切り替えることができるデュアルモードタッチパッドサブシステムとを備える。ここで、無線伝送スクリーン同期サブシステムは、投影ホストとエミッターを備え、投影ホストにスクリーンミラーリングＷｉＦｉホットスポットとファイル伝送ＷｉＦｉホットスポットが内蔵されており、前記投影ホストは、スクリーンミラーリングＷｉＦｉホットスポットによって、前記エミッターをＵＳＢを介してＰＣ端に接続して取得した平面内容を受信し、ファイル伝送ＷｉＦｉホットスポットによってテキストファイルを受信する。デュアルモードタッチパッドサブシステムは、主にタッチパッド、内蔵電源、ブルートゥース通信モジュール、自動充電モジュール及びモード切り替えモジュールを備え、タッチパッドは、ブルートゥース通信モジュールによってオンサイトマスターコントロールシステムに信号接続されてシステムの投影方式を制御し、自動充電モジュールは、タッチパッドが動作状態になっておらず、且つ特定の充電位置に置かれていることを検出すると、自動的にタッチパッドを充電し、タッチパッドがマウスモードで動作する場合、モード切り替えモジュールは、投影カーソルが投影内容における変更可能なテキストボックス領域に入ったことを検出すると、自動的にタッチパッドをブルートゥースキーボードモードに切り替え、タッチパッド表面のキーボードバックライトが点灯し、ブルートゥースキーボードモードに切り替えたことを示し、それと同時にコマンドをオンサイトマスターコントロールシステムに送信して、マウスモードからキーボードモードに切り替えさせ、ブルートゥースキーボード状態として認識させる。また、投影ホストにタッチパッドを置くためのタッチ接続ポートが設置されており、オンサイトマスターコントロールシステムは、タッチパッドがタッチ接続ポートに置かれていることを検出すると、タッチパッドを充電するように自動充電モジュールを制御し、オンサイトマスターコントロールシステムは、タッチパッドがタッチ接続ポートに置かれていないことを検出すると、投影システムを起動するように自動ウェイクアップモジュールを制御する。音声受音認識サブシステムは、マイクピックアップアレイ及び音声認識変換ユニットを備え、前記マイクピックアップアレイは会議発言オーディオファイルを生成して音声認識変換ユニットに送信するためのものであり、前記音声認識変換ユニットは前記オーディオファイルを音声認識アルゴリズムによって対応するテキストファイルに変換する。また、システムは、前記音声受音認識サブシステムによりピックアップされたオーディオファイル及び自動的に生成されたテキストファイルを記憶する記憶ユニットを更に備える。
【００２１】
自発的に会議を発信する場合、マスターコントロールシステムは、会議発信モジュールによってインターネットを介して遠隔会議発信信号を送信し、遠隔応答信号を受信すると、ビデオ通話モジュールを起動して遠隔会議接続を実現する。遠隔会議が接続されると、投影システムにおけるカメラが自動的にオンして、会議現場の画像を取得し、それと同時に音声受音認識サブシステムがオンして、会議現場の音声を取得し、次いでノイズを処理し、ビデオ信号と音声信号が同時にマスターコントロールシステムに伝送されて信号処理を行い、次いでネットワークを介してオーディオ及びビデオ信号が会議に接続されている各参加者に伝送される。音声受音認識サブシステムのハードウェア手段としては、複数のノイズリダクションマイクを用い、音声を取得した後、直接ノイズを低減して、背景雑音を除去して、浄化されたオーディオストリームをメインシステムに伝送して意味認識を行う。
【００２２】
受動的に会議を受信する場合、マスターコントロールシステムは、自動ウェイクアップモジュールによって自動的に投影システムをウェイクアップさせ、且つビデオ通話モジュールによって遠隔会議接続を実現する。
【００２３】
会議システムが動作する時に、前記オンサイトマスターコントロールシステムは、補助システムを同時に制御して連携的に動作させ、即ち、プロジェクタによって会議ファイルを投影するように無線伝送スクリーン同期サブシステムを制御し、会議オーディオをピックアップするように音声受音認識サブシステムを制御し、使用要求に応じて２種の動作モードを自発的に切り替えるようにデュアルモードタッチパッドサブシステムを制御する。
【００２４】
以下、具体的な一実施例によって本発明の技術手段を更に説明する。
【００２５】
図２は本発明中の前記インテリジェント会議投影システムを載置するプロジェクタを示し、外観から言えば投影ホストとタッチパッドを含み、投影ホストに投影レンズが設置されており、その内部にプロジェクタシステムの主要機能ユニットであるオンサイトマスターコントロールシステム、会議システム及び補助システムを集積している。本発明の好ましい実施形態としては、ハードウェア構成上でその内部には受音マイクと投影レンズの裏面に設置されて会議現場画面を撮影するカメラを含む。会議システムの正常動作モード下で、受音マイクが現場の音声情報を収集し、カメラが会議現場のビデオ情報を取得し、上記情報が全てインターネットを介して遠隔送信可能であり、遠隔会議参加者の交流過程での空間障害を最大限に排除し、対面して直接交流する効果と更に類似するようになる。
【００２６】
インテリジェント会議システムに対応するように、本発明は更にインテリジェント投影機能を融合した。会議システムはワンキー起動で自発的に遠隔会議を発信し、遠隔応答信号を受信すると、ビデオ通話モジュールを起動して遠隔会議接続を実現する。投影ホストが自動的にウェイクアップし、投影レンズが自動的に受信した遠隔画面を投影する。この時、カメラは自動的にオンして会議現場の画像を取得し、マイクは会議現場の音声を取得し、続いてネットワークを介してオーディオ及びビデオ信号を会議に接続されている各参加者に伝送する。ファイルを展示する必要がある時に、遠隔画面を小さくし、投影ホストが自動的にファイルを投影すると共に、ネットワークを介してこのファイル内容を会議に接続されている各参加者に伝送する。この時に、操作者がタッチパッドを投影ホストから取り外すと、デュアルモードタッチパッドサブシステムが自動的に動作し、投影メインシステムがインテリジェント投影を制御して自動的にタッチパッド制御モードに切り替えさせる。タッチパッドのタッチモードはデフォルトでマウス操作モードであり、その操作方式が通常のノートパソコンと同じであり、ドラッグ、クリック、ダブルクリックなどの操作によって対応する機能を実現し、ここで詳細に説明しない。カーソルがファイルにおけるテキストボックス領域まで移動すると、タッチパッドが直ちに動作モードを切り替え、マウス操作モードからキーボード入力モードに変わり、この時、タッチパッドに設置されたキーボードバックライトが発光し、タッチパッド全体に通常のコンピュータキーボードが現れ、操作者が対応するキー領域にタッチすることで入力効果を達成し、その使用効果が一般のコンピュータキーボードと同じであり、ユーザが使用習慣に応じて異なる入力方式のソフトウェアをプリロードすることができる。
【００２７】
受動的に会議を受信する場合、各機能部の動作が会議発信時と類似する。
【００２８】
本発明は遠隔ビデオ会議システムとインテリジェント投影システムを組み合わせることで、投影装置の自動ウェイクアップ機能を実現して会議参加者の使用体験をよくしただけでなく、従来の投影システムのリモコンの代わりにデュアルモードタッチパッドを用いて、投影システム制御を実現した上で、マウス、キーボードの２種の制御方式を自発的に切り替えることで、ファイルの修正を容易にして、大部分の人の使用習慣に更に一致するようにして、操作体験をより上向させた。また、タッチパッドが特定の位置に戻されると、投影装置が自動的にオフし、且つ自動的にタッチパッドを充電するので、装置のインテリジェント化レベルが上向され、ビデオ会議を逃すことが回避でき、且つ投影を起動してビデオ会議に参加することを他の通信方式を通じて通知する必要がない。
【００２９】
最後に以下のことを説明すべきである。以上の各実施例は、本発明の技術手段を説明するために用いるものであり、本発明に対する限定となるものではない。また、上記の各実施例に記載の技術手段に対して修正、又はその技術的特徴の一部又は全部に対して同等的な取替を行うことができ、これらの修正又は取替により、対応する技術手段の本質が本発明の各実施例の技術手段の範囲から逸脱しないことは、当業者に理解されよう。
【００３０】
（付記）
（付記１）
オンサイトマスターコントロールシステム及び前記オンサイトマスターコントロールシステムに信号接続される会議システムと補助システムを含むインテリジェント会議投影システムであって、
前記会議システムは、会議発信モジュール、ビデオ通話モジュール及び入電投影自動ウェイクアップモジュールを備え、
前記補助システムは、
会議内容投影及び遠隔会議画面共有を実現する無線伝送スクリーン同期サブシステムと、
会議オーディオピックアップを実現する音声受音認識サブシステムと、
投影ファイルを変更し、キーボードとマウスの２種のモードを速やかに切り替えるデュアルモードタッチパッドサブシステムと、を備え、
自発的に会議を発信する場合、マスターコントロールシステムは、会議発信モジュールによってインターネットを介して遠隔会議発信信号を送信し、遠隔応答信号を受信すると、ビデオ通話モジュールを起動して遠隔会議接続を実現し、
受動的に会議を受信する場合、マスターコントロールシステムは、自動ウェイクアップモジュールによって自動的に投影システムをウェイクアップさせ、且つビデオ通話モジュールによって遠隔会議接続を実現し、
会議システムが動作する時、前記オンサイトマスターコントロールシステムは、補助システムを同時に制御して連携的に動作させ、即ち、プロジェクタによって会議ファイルを投影するように無線伝送スクリーン同期サブシステムを制御し、会議オーディオをピックアップするように音声受音認識サブシステムを制御し、及び使用要求に応じて２種の動作モードを自発的に切り替えるようにデュアルモードタッチパッドサブシステムを制御することを特徴とするインテリジェント会議投影システム。
【００３１】
（付記２）
前記無線伝送スクリーン同期サブシステムは、投影ホストとエミッターを備え、
前記投影ホストにスクリーンミラーリングＷｉＦｉホットスポットとファイル伝送ＷｉＦｉホットスポットが内蔵され、前記投影ホストは、スクリーンミラーリングＷｉＦｉホットスポットによって、前記エミッターをＵＳＢを介してＰＣ端に接続して取得した平面内容を受信し、ファイル伝送ＷｉＦｉホットスポットによってテキストファイルを受信することを特徴とする付記１に記載のインテリジェント会議投影システム。
【００３２】
（付記３）
前記デュアルモードタッチパッドサブシステムは、タッチパッド、内蔵電源、ブルートゥース通信モジュール、自動充電モジュール及びモード切り替えモジュールを備え、
前記タッチパッドは、ブルートゥース通信モジュールによってオンサイトマスターコントロールシステムに信号接続されてシステムの投影方式を制御し、
前記自動充電モジュールは、タッチパッドが動作状態になっておらず、且つ特定の充電位置に置かれていることを検出すると、自動的にタッチパッドを充電し、
前記タッチパッドがマウスモードで動作する時に、モード切り替えモジュールは、投影カーソルが投影内容における変更可能なテキストボックス領域に入ったことを検出すると、自動的にタッチパッドをキーボードモードに切り替えることを特徴とする付記２に記載のインテリジェント会議投影システム。
【００３３】
（付記４）
前記投影ホストにタッチパッドを置くためのタッチ接続ポートが設置され、オンサイトマスターコントロールシステムはタッチパッドがタッチ接続ポートに置かれていることを検出すると、タッチパッドを充電するように自動充電モジュールを制御し、オンサイトマスターコントロールシステムはタッチパッドがタッチ接続ポートに置かれていないことを検出すると、投影システムを起動するように自動ウェイクアップモジュールを制御することを特徴とする付記３に記載のインテリジェント会議投影システム。
【００３４】
（付記５）
前記音声受音認識サブシステムは、マイクピックアップアレイと音声認識変換ユニットを備え、前記マイクピックアップアレイは会議発言オーディオファイルを生成して音声認識変換ユニットに送信し、前記音声認識変換ユニットは前記オーディオファイルを音声認識アルゴリズムによって対応するテキストファイルに変換することを特徴とする付記１に記載のインテリジェント会議投影システム。
【００３５】
（付記６）
前記音声受音認識サブシステムによりピックアップされたオーディオファイル及び自動的に生成されたテキストファイルを記憶する記憶ユニットを備えることを特徴とする付記５に記載のインテリジェント会議投影システム。
【図１】
2021536722.tif 000003
【図２】
2021536722.tif 000004
【国際調査報告】
2021536722.tif 000005
2021536722.tif 000006
2021536722.tif 000007
2021536722.tif 000008
2021536722.tif 000009